【手続補正書】
【提出日】平成16年12月7日(2004.12.7)
【手続補正１】
【補正対象書類名】明細書
【補正対象項目名】全文
【補正方法】変更
【補正の内容】
【書類名】        明細書
【発明の名称】    空圧施療機
【特許請求の範囲】
【請求項１】    頭部及び首部を載置し得る枕部と背部及び腰部を載置し得る基部とを有する本体に、外部からの圧縮空気の給排により膨縮を行い得る１以上の空気袋を内装した空圧施療機であって、該基部が可撓性を有する薄生地で構成した事を特徴とする空圧施療機。
【請求項２】    頭部及び首部を載置し得る枕部と背部及び腰部を載置し得る基部とを有する本体に、外部からの圧縮空気の給排により膨縮を行い得る１以上の空気袋を内装した空圧施療機であって、該本体の枕部に弾性を有する盛り上がり部を形成すると共に、基部が可撓性を有する薄生地で構成した事を特徴とする空圧施療機。
【請求項３】    前記本体における枕部の首部対応位置に１以上の横長の首部用空気袋を内装し、基部の背部対応位置左右に一対の背部用空気袋を内装すると共にその中央に縦長の脊髄用空気袋を内装し、且つ基部の腰部対応位置に横長の腰部空気袋を内装すると共にその下部両側左右に一対の臀部空気袋を内装し、外部からの圧縮空気の給排により適宜の各空気袋を膨縮させるよう構成した事を特徴とする請求項１及び請求項２記載の空圧施療機。
【請求項４】    前記本体における基部の左右の背部用空気袋と左右の臀部空気袋は、夫々対称に配設している事を特徴とする請求項３記載の空圧施療機。
【請求項５】 前記本体は、種々の椅子やベッド等に対して載置できるよう着脱可能である事を特徴とする請求項１乃至請求項４の何れかに記載の空圧施療機。
【発明の詳細な説明】
【０００１】
【発明の属する技術分野】
本発明は、椅子やベッド等に載置して使用できる空圧施療機に係り、詳しくは、椅子やベッド或いは床面等に載置されて使用でき、圧縮空気を給排することによって膨張・収縮させることのできる空気袋の複数を適所に配備して施療者の頭部や背部、更には腰部に空気袋の膨縮による押圧施療を施す事ができるようにした空圧施療機に関するものである。
【０００２】
【従来の技術】
従来、この種の空気袋を利用した空圧施療機としては、椅子本体の背凭れ部分に圧縮空気を給排することによって膨張・収縮させることのできる空気袋の複数を配置し、該空気袋の膨縮により使用者の背部を施療し得るようにした椅子型空圧施療機や、椅子の足載台に前記と同様の空気袋を配備し、該空気袋の膨縮により使用者の足部を施療し得るようにした足用空圧施療機が一般によく知られている。
【０００３】
また、これらの膨縮を行い得る空気袋による近年の足用空圧施療機構と、機械式施療機構を背凭れ部に配備させた古来からの施療機とを単に組合せた複合機能の施療機もここ数年の間に市場に出回っている。
【０００４】
【発明が解決しようとする課題】
しかし、上記従来の各種施療機は、施療者の背部や足部を施療できるようにしているが、近年のストレス社会においては、精神的に可及的有効な施療機の開発が望まれていた。
【０００５】
本発明は、上記実情に鑑みて成されたものであり、機械式施療機構を背凭れ部に配備させた施療椅子や事務用椅子或いは応接椅子等の椅子や機械式施療機構を配備させた施療ベッドや介護用や事務用或いは応接用のベッド等に載置させて、頭部や背部及び腰部に適度な空圧施療を適宜に施し、精神的に有効なリラックス状態を創造し得る空圧施療機を提供する事を目的とするものである。
【０００６】
【課題を解決するための手段】
本発明の空圧施療機は、上記目的を達成すべく次のように構成するものである。
すなわち、本発明の空圧施療機は、頭部及び首部を載置し得る枕部と背部及び腰部を載置し得る基部とを有する本体に、外部からの圧縮空気の給排により膨縮を行い得る１以上の空気袋を内装した空圧施療機であって、該基部が可撓性を有する薄生地で構成した事を特徴とするものである。
【０００７】
また本発明の空圧施療機は、頭部及び首部を載置し得る枕部と背部及び腰部を載置し得る基部とを有する本体に、外部からの圧縮空気の給排により膨縮を行い得る１以上の空気袋を内装した空圧施療機であって、該本体の枕部に弾性を有する盛り上がり部を形成すると共に、基部が可撓性を有する薄生地で形成する事を特徴とするものである。
【０００８】
更に本発明の空圧施療機は、前記本体における枕部の首部対応位置に１以上の横長の首部用空気袋を内装し、基部の背部対応位置左右に一対の背部用空気袋を内装すると共にその中央に縦長の脊髄用空気袋を内装し、且つ基部の腰部対応位置に横長の腰部空気袋を内装すると共にその下部両側左右に一対の臀部空気袋を内装し、外部からの圧縮空気の給排により適宜の各空気袋を膨縮させるよう構成した事を特徴とするものである。
【０００９】
更にまた本発明の空圧施療機は、前記本体における基部の左右の背部用空気袋と左右の臀部空気袋は、夫々対称に配設している事を特徴とするものである。
【００１０】
更に本発明の空圧施療機は、前記本体が、種々の椅子やベッド等に対して載置できるよう着脱可能である事を特徴とするものでもある。
【００１１】
本発明の空圧施療機は、上記のような構成を採用する事により以下のような作用をもたらす。
すなわち、本発明の空圧施療機は、本体の基部が可撓性を有する薄生地で構成している為、種々の椅子やベッド等に沿って容易に載置させる事ができ、施療者の頭部や背部及び腰部に適度な押圧施療を適宜に施す事ができる。
【００１２】
また、本発明の空圧施療機は、本体の枕部に弾性を有する盛り上がり部を形成すると共に、本体の基部が可撓性を有する薄生地で構成している為、種々の椅子やベッド等に沿って容易に載置させる事ができ、施療者の頭部及び首部を安定保持させて、頭部や背部及び腰部に適度な押圧施療を適宜に施す事ができる。
【００１３】
更に本発明の空圧施療機は、本体の首部や背部及び脊髄部や腰部、臀部に適宜数の空気袋を設けている為、種々の椅子やベッド等に沿って容易に載置させた状態で、各部位に適度な押圧施療を適宜に施す事ができる。
【００１４】
更にまた本発明の空圧施療機は、前記本体における基部の左右の背部用空気袋と左右の臀部空気袋を夫々対称に配設している為、施療者の左右で均等な押圧施療を施す事ができる。
【００１５】
更に本発明の空圧施療機は、種々の椅子やベッド等に対して載置できるよう本体を椅子やベッド等に着脱可能に構成している為、床面での使用以外に種々の椅子やベッド上でも使用でき、施療者の首部や背部及び脊髄部や腰部、臀部等の各部位に異なる数種の施療を適宜に施す事ができる。
【００１６】
【発明の実施の形態】
以下、本発明の空圧施療機を、図面に示す一実施形態に基づいてこれを詳細に説明する。
図１乃至図６は本発明の空圧施療機の一実施形態を示す説明図であり、図７は本発明の空圧施療機における空気袋の配置状況を示す説明図であり、図８は本発明の空圧施療を椅子に載置させた状態の一実施形態を示す斜面図であり、図９は本発明の空圧施療を椅子に載置させた状態での一使用状況を示す斜面図である。
【００１７】
本発明の空圧施療機は、図１乃至図６の実施形態で示したように、頭部及び首部を載置し得る枕部２と背部及び腰部を載置し得る基部３とを有する本体１に、外部からの圧縮空気の給排により膨縮を行い得る１以上の空気袋４を内装した空圧施療機であって、該本体１の枕部２に弾性を有する盛り上がり部２１を形成すると共に、基部３が可撓性を有する薄生地で構成されたものを例示している。
【００１８】
前記盛り上がり部２１は、図示したように首部対応位置を盛り上がるように湾曲突面を形成したものであり、この内部にはこの湾曲突面の高さを調整し、且つ首部に押圧施療を施し得る横長の首部用空気袋４１を内装している。
【００１９】
尚、この首部用空気袋４１は、実施形態では首部対応位置に一の首部用空気袋４１を設けた例を示しているが、これに限るものではなく、数個の首部用空気袋４１を並設しても良い。
【００２０】
前記基部３は、前述したように比較的軽量で可撓性（柔軟性）のある薄生地で方形状に形成され、図８のように椅子の形状に沿設載置させたり、図１乃至図６に示したようにベッドに沿設載置させたりすることができるようにしており、該基部３の内部には、複数の空気袋４が内装され、本体１外部の給排気装置６からの圧縮空気の給排により適宜の各空気袋４を膨縮させる事ができるようにしている。
【００２１】
前記基部３の内部の空気袋４には、背部対応位置左右に配設される一対の背部用空気袋４２・４２と、これら一対の背部用空気袋４２・４２間中央に配設される縦長の脊髄用空気袋４３と、脊髄用空気袋４３の下方の腰部対応位置に配設される横長の腰部空気袋４４と、該腰部空気袋４４の下部両側左右に一定間隔を存して配設される一対の臀部空気袋４５・４５とが内装されており、これらは、前記給排気装置６と接続されるものであり、その接続には、夫々給排ホース５が用いられている。
【００２２】
また、前記左右の背部用空気袋４２・４２と左右の臀部空気袋４５・４５は、夫々対称に配設して、施療者の背部左右と臀部左右に均等な押圧施療を施す事ができるようにして、身体や脊髄に歪みが生じないように工夫されている。
【００２３】
尚、言及するまでもないが、前記本体１を基部３と枕部２とで構成する事で、ベッドや椅子等に本体1を載置して使用する場合に、基部２上に仰臥した施療者を施療者背部の体重で本体１を一定位置で固定すると共に、施療者の頭部を枕部３から離脱させないようにする事ができ、安定した状態で施療部位を定位置に維持させる事ができるようにしている。
【００２４】
前記給排気装置６は、前記各空気袋４に圧縮空気を給排させる為のものであるが、圧縮空気を供給・排出し得るエアーコンプレッサ等が利用される。
【００２５】
前記給排気装置６には、図示していないが、制御手段を設けて前記各空気袋４に対する圧縮空気の給排気を、任意或いは重点的、若しくは順次に繰返し行なわせる事ができ、また、図示したようなリモコン７でも各空気袋４に対する圧縮空気の給排気を、任意或いは重点的、若しくは順次に繰返し行なわせる事ができる。
【００２６】
よって、前記リモコン７や制御手段を備えた給排気装置６を稼動させる事で、次のような空気袋による押圧施療を行わせる事ができる。
【００２７】
図２は、枕部２の首部用空気袋４１のみを膨張させている状態を示すものであり、図１の首部用空気袋４１の収縮状態と図２の膨張状態を繰返し行なう事で、首部の押圧施療を行なえ、また、図２の状態を維持させる事で、施療者の首部高さの設定にも利用できるものである。
【００２８】
図３は、基部３に背部用空気袋４２・４２を同時に膨張させた状態を示すものであり、これにおいても、図１の状態から図３の膨張状態を繰返し行なわせる事で、施療者の両背部に押圧施療を施す事ができる。
【００２９】
図４は、基部３の脊髄用空気袋４３を膨張させた状態を示すものであり、図１の状態から図４の膨張状態を繰返し行なわせる事で、脊髄部に対する押圧施療を施す事ができる。
【００３０】
図５は、基部３の腰部空気袋４４を膨張させた状態を示すものであり、図１の状態から図５の膨張状態を繰返し行なわせる事で、腰部に対する押圧施療を施す事ができる。
【００３１】
図６は、基部３の臀部空気袋４５・４５を同時に膨張させた状態を示すものであり、図１の状態から図６の膨張状態を繰返し行なわせる事で、両臀部に対する押圧施療を施す事ができる。
【００３２】
すなわち、本発明の空圧施療機では、図７に示したように、本発明の空圧施療機には、本体1の枕部２に首部用空気袋４１を設け、基部３に背部用空気袋４２・４２と、脊髄用空気袋４３と、腰部空気袋４４と、臀部空気袋４５・４５とが夫々設けられている為に、本発明の空圧施療機に施療者が仰臥して使用する事で、図１乃至図６に示したような各空気袋４の単独膨縮に限らず、施療者の首部や肩部・脊髄部・肩部・腰部・臀部を、任意或いは順次または同時に押圧施療を施す事ができるものであり、施療者に対して精神的にリラックスできる状況を提供でき、またこの各空気袋４の膨縮順を、前述した制御手段やリモコン７等により基部３側から枕部２側へ移動するようにしたり、逆方向に移動するようにする事ができ、変化ある適宜の押圧施療を施す事ができるのである。
【００３３】
また、前記各空気袋４は、指定した空気袋４のみを反復膨縮させたり指定された複数の空気袋４を別作動させたりする事もでき、例えばリモコン7を操作して、首部用空気袋４１のみを反復膨縮させながら背部用空気袋４２・４２と脊髄用空気袋４３と腰部空気袋４４と臀部空気袋４５・４５を順次押圧膨縮させ、施療者に異なる数種の押圧施療を実施させる事ができる。
【００３４】
図８は、本発明の空圧施療機を椅子に載置させた一実施形態を示したものであり、前記本体１の基部３が比較的軽量で可撓性（柔軟性）のある薄生地で構成されている為に椅子の背凭れ形状の凹凸局面に沿って載置でき、この状態で図９に示したように施療者が着座し、前記リモコン７や制御手段を備えた給排気装置６を稼動させる事で、施療者に異なる数種の押圧施療を実施させる事ができるのである。
【００３５】
尚、図示していないが、前記本体１の枕部２後面にベルベット式ファスナーや磁石の他フック等を任意に設けても良く、これにより椅子やベッドに本体１を容易に安定載置できるようにする事ができる。
【００３６】
また、前記給排気装置６やリモコン７においても、ベルベット式ファスナーや磁石の他フック等を任意に設けても良く、これにより椅子やベッドに給排気装置６やリモコン７を適宜に装着する事ができるようになる。
【００３７】
【発明の効果】
よって、本発明の空圧施療機は、頭部及び首部を載置し得る枕部と背部及び腰部を載置し得る基部とを有する本体の枕部を、弾性を有する盛り上がり部を形成した枕部にし、該本体の基部を、可撓性を有する薄生地で形成した基部にした事により、従来の空圧施療機とは異なり、種々の椅子やベッドに容易に沿設載置させる事ができるものである。
【００３６】
また、本発明の空圧施療機は、本体の枕部に給排気装置からの圧縮空気の給排により膨縮する首部用空気袋を内装し、基部には、同給排気装置からの圧縮空気の給排により膨縮する一対の背部用空気袋と脊髄用空気袋と腰部空気袋と一対の臀部空気袋を夫々内装している為、本体を種々の椅子やベッド等に載置させて、頭部や背部及び腰部に適度な押圧施療を適宜に施し、精神的に有効なリラックス状態を提供する事ができる。
【図面の簡単な説明】
【図１】
本発明の空圧施療機の一実施形態を示す説明図である。
【図２】
本発明の空圧施療機の一実施形態を示す説明図である。
【図３】
本発明の空圧施療機の一実施形態を示す説明図である。
【図４】
本発明の空圧施療機の一実施形態を示す説明図である。
【図５】
本発明の空圧施療機の一実施形態を示す説明図である。
【図６】
本発明の空圧施療機の一実施形態を示す説明図である。
【図７】
本発明の空圧施療機における空気袋の配置状況を示す説明図である。
【図８】
本発明の空圧施療を椅子に載置させた状態の一実施形態を示す斜面図である。
【図９】
本発明の空圧施療を椅子に載置させた状態での一使用状況を示す斜面図である。
【符号の説明】
１    本体
２    枕部
２１    盛り上がり部
３    基部
４    空気袋
４１    首部用空気袋
４２    背部用空気袋
４３    脊髄用空気袋
４４    腰部用空気袋
４５    臀部用空気袋
５ 給排ホース
６ 給排気装置
７ リモコン